Podtech/llm-jp-corpus-v4-ja_patent huggingface dataset:
(57)【要約】      （修正有）【課題】頭付ボルトをねじ込んだとき、振動等により生じる緩みを確実に、しかも簡単な作業により制止するものである。【解決手段】頭付ボルトの緩み止めの構造において、ボルト頭２を貫通して、垂直に小ねじ孔６と錐孔５とを連ねて穿孔し、ここに釘７を通して上部材のボルト孔２０の入口角部２１に向って打ち込み、その釘の足先端の切刃１２をそこに喰い込ませることにより、頭付ボルトは上部材に回転不能に固定され、次に頭付小ねじ１３により釘を押え込み、その脱出を防止し、更にこの頭付小ねじの回転を折り曲げ座金により阻止されるようにした頭付ボルトの緩み止めの構造。【選択図】図１
2017096485.tif 000002
【特許請求の範囲】
【請求項１】
頭付ボルトの緩み止めの構造において、頭付ボルト（１）の頭部上面（３）に上部材（１９）のボルト孔（２０）の直径と同一寸法の罫描線を描き、この線上の点よりボルト頭部（２）を貫通して、垂直に小ねじ孔（６）と錐孔（５）とを連ねて、ボルト頭部下面（４）より少し深くまで穿孔しておき、頭付ボルトを上部材（１９）のボルト孔（２０）を通して、下部材（２２）にねじ込んだ後、釘（７）をボルト頭部の小ねじ孔（６）と錐孔（５）を通して、上部材のボルト孔（２０）の入口角部（２１）に向って打ち込み、その釘の足先端の切刃（１２）をそこに喰い込ませることにより、頭付ボルトは上部材に回転不能に固定され、次に釘の上半部（８）を通せる大きさの通し孔（１４）を設けた頭付小ねじ（１３）を釘の上より指し込み、ボルト頭部の小ねじ孔（６）にねじ込んでいくことにより、その頭付小ねじの下端（１５）で釘中央の鍔部（９）上面は押え込まれて、釘の上方への脱出は防止され、更にこの頭付小ねじは折り曲げ座金（１６）の折り曲げ舌（１７）及び（１８）を頭付小ねじ及び頭付ボルトの頭に向い折り曲げることにより、その回転が阻止されるようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面３に上部材１９のボルト孔２０の直径と同一寸法の罫描線を描き、この線上の点よりボルト頭部２を貫通して、垂直に小ねじ孔６と錐孔５とを連ねて、ボルト頭部下面４より少し深くまで穿孔しておき、頭付ボルトを上部材１９のボルト孔２０を通して、下部材２２にねじ込んだ後、釘７をボルト頭部の小ねじ孔６と錐孔５を通して、上部材のボルト孔２０の入口角部２１に向って打ち込み、その釘の足先端の切刃１２をそこに喰い込ませることにより、頭付ボルトは上部材に回転不能に固定される。【０００５】  次に釘の上半部８を通せる大きさの通し孔１４を設けた頭付小ねじ１３を釘の上より指し込み、ボルト頭部の小ねじ孔６にねじ込んでいくことにより、その頭付小ねじの下端１５で釘中央の鍔部９上面は押え込まれて、釘の上方への脱出は防止される。【０００６】  更にこの頭付小ねじは折り曲げ座金１６の折り曲げ舌１７及び１８を頭付小ねじ及び頭付ボルトの頭に向い折り曲げることにより、その回転が阻止されるようになる。
【発明の効果】
【０００７】  本発明の実施により頭付ボルトを強く締め込んだ後、簡単な方法で確実な緩み止めが可能になる。
【図面の簡単な説明】
【０００８】
【図１】本発明の実施形態の一例として、頭付ボルトをねじ込んだ後、その頭部より釘を打込み、その上から頭付小ねじで押えた後、折り曲げ座金で廻り止めした状態の縦断面図
【図２】図１の平面図
【図３】図１の側面図
【図４】本発明の実施形態の一例として釘の正面図
【図５】図４の平面図
【図６】図４の側面図
【発明を実施するための形態】
【０００９】  頭付ボルトの緩み止めの構造において、頭付ボルト１の頭部上面３に上部材１９のボルト孔２０の直径と同一寸法の罫描線を描き、この線上の点よりボルト頭部２を貫通して、垂直に小ねじ孔６と錐孔５とを連ねて、ボルト頭部下面４より少し深くまで穿孔しておき、頭付ボルトを上部材１９のボルト孔２０を通して、下部材２２にねじ込んだ後、釘７をボルト頭部の小ねじ孔６と錐孔５を通して、上部材のボルト孔２０の入口角部２１に向って打ち込み、その釘の足先端の切刃１２をそこに喰い込ませることにより、頭付ボルトは上部材に回転不能に固定される、釘の形状は、その上半部は頭付小ねじの通し孔１４に滑合し、鍔部９より下の足部１０は錐孔に軽く圧入される寸法とし、その足先端の楔部の切刃１２は焼入れされ、入口角部２１に強く切込まれる。
【００１０】  次に釘の上半部８を通せる大きさの通し孔１４を設けた頭付小ねじ１３を釘の上より指し込み、ボルト頭部の小ねじ孔６にねじ込んでいくことにより、その頭付小ねじの下端１５で釘中央の鍔部９上面は押え込まれて、釘の上方への脱出は防止される、従って楔部の切刃の喰い込みは緩むことなく頭付ボルトは確実に緩み止めされる。
【００１１】  更にこの頭付の小ねじ１３が激しい振動により緩むことを防ぐため、折り曲げ座金１６の折り曲げ舌１７及び１８を頭付小ねじ及び頭付ボルトの頭に向い折り曲げ固定する、従って本願の頭付ボルトの緩み止めは長期間の使用に耐えることができる。
【符号の説明】
【００１２】  １・・・頭付ボルト                          ２・・・ボルト頭部
３・・・ボルト頭部上面                      ４・・・ボルト頭部下面
５・・・ボルト頭部の錐孔                    ６・・・ボルト頭部の小ねじ孔
７・・・釘                                  ８・・・釘の上半部
９・・・釘中央の鍔部                      １０・・・釘の足部
１１・・・釘の足先端の楔部                  １２・・・楔部角の切刃
１３・・・頭付の小ねじ                      １４・・・頭付の小ねじの通し孔
１５・・・頭付の小ねじの下端                １６・・・折り曲げ座金
１７・・・折り曲げ座金の上向きの折り曲げ舌  １８・・・折り曲げ座金の下向きの折り曲げ舌
１９・・・上部材                            ２０・・・上部材のボルト孔
２１・・・ボルト孔の入口角部                ２２・・・下部材
【図１】
2017096485.tif 000003
【図２】
2017096485.tif 000004
【図３】
2017096485.tif 000005
【図４】
2017096485.tif 000006
【図５】
2017096485.tif 000007
【図６】
2017096485.tif 000008